(57)【要約】【課題】  葬儀用喪服は日常着用していないので、突然の葬儀に参列しなければならない場合は止むをず平服に腕章だけをつけて参列たり、又、外出中に訃報に接した場合には自宅に帰って着替えたり、また、葬儀場が遠距離の場合には自宅から喪服を携帯し、葬儀場で着替えなければならない等の不便があった。【解決手段】  本発明は、白色の布を正方形に裁断した後長て方向に二つ折りにして縁部に巻きミシン縫製加工を施しその両端部に飾紐を取り付け，飾紐を結び合わせて首に掛けられるような形状の葬儀用袈裟を実現したもので、平服の上にこの袈裟を着用することにより、簡便でありながら、喪服を着用したのと同様又はそれ以上の格式を持たせて、平服で斎場に来場して葬儀への参列を可能にするものである。【選択図】              図３
2005253697.tif 000002
【特許請求の範囲】
【請求項１】
白色の布を正方形に裁断して方向に二つ折りにして縁部に巻きミシン縫製加工を施した袈裟本体と、
複数本の紐が束ねられその端部が花弁形に結ばれ、該花弁部が前記袈裟本体の両端部分に固着された飾紐と、
により構成され袈裟本体の両端部分の飾紐を結び合わせて首に掛けられるような形状に形成したことを特徴とする葬儀用袈裟。
【請求項２】
請求項1の葬儀用袈裟において、袈裟本体の一部に、宗派の経典、葬儀場名、家紋等を付すようにしたことを特徴とする葬儀用袈裟。
【請求項３】
請求項1乃至2の葬儀用袈裟において、袈裟本体が不織布により製作されていることを特徴とする葬儀用袈裟。
【請求項４】
白色の布を正方形に裁断して方向に二つ折りにして縁部に巻きミシン縫製加工を施した袈裟本体と、複数本の紐が束ねられその端部が花弁形に結ばれ、該花弁部が前記袈裟本体の両端部分に固着された飾紐と、により構成され袈裟本体の両端部分の飾紐を結び合わせて首に掛けられるような形状に形成した葬儀用袈裟を、
葬儀場に常時備えつけおくことにより、
葬儀の参加者は平服で葬儀場に行き平服の上に葬儀用袈裟を羽織ることにより、葬儀を行うことを特徴とする葬儀の方法。
【請求項５】
請求項4において、葬儀場に常時備えつけおく葬儀用袈裟は、葬儀の終了後に破棄して、参列者は常に新しい葬儀用袈裟を使用することを特徴とする葬儀の方法。
【発明の詳細な説明】
【技術分野】
【０００１】
本発明は、葬儀の際に参列者が着用するための葬儀用袈裟とこれを使用した葬儀の方法に関するものである。
本発明の葬儀用袈裟とこれを使用した葬儀の方法は、平服の上にこの袈裟を着用することにより、簡便でありながら、喪服を着用したのと同様又はそれ以上の格式を持たせて、葬儀の慣習上または故人に対して非礼のないようにして、平服で斎場に来場して葬儀への参列を可能にする葬儀の方法を提案するものである。
【背景技術】
【０００２】
従来、葬儀の際の服装は地味な服装であれば良いとされているが、最近は葬儀に列席する場合は黒色の礼装を着用する習わしになっており、一般には喪服が広く着用されている。
男性は黒、紺あるいはダークグレーの背広に黒無地のネクタイ、女性は黒色系の洋服または着物が正装とされている。
しかし、喪服を常時身近に準備している人は少ないので、急な訃報に接した場合等に対処するために葬儀の際の服装に関する各種の提案がなされている。
【０００３】
【特許文献１】特開平９−３１０２０５号公報，
【特許文献２】特開２００１−３４８７１３号公報，
【特許文献３】特開２００３−１２５９２１号公報，
【発明の開示】
【発明が解決しようとする課題】
【０００４】
葬儀用喪服は日常着用していないので、突然の葬儀に参列しなければならない場合は止むを得ず平服に腕章だけをつけて参列して、恥ずかしい思いをする場合があったり、又、外出中に訃報に接した場合には自宅に帰って着替えたり、また、葬儀場が遠距離の場合には自宅から喪服を携帯し、葬儀場で着替えなければならない等の不便があった。
又、従来は各家庭において行われていた葬儀は斎場が中心になって行われるようになったため、黒い喪服を着た人の集団が常に祭事用の周囲を行き交い、斎場の近くの住民にとってはあまり好ましいことではない。
このため、平服で斎場に来場し、喪服を着用したのと同様の格式を持たせて葬儀への参列を可能にする方法の実現が求められている。
【課題を解決するための手段】
【０００５】
本発明は、白色の布を正方形に裁断した後、長て方向に二つ折りにして縁部に巻きミシン縫製加工を施しその両端部に飾紐を取り付け，飾紐を結び合わせて首に掛けられるような形状の葬儀用袈裟を実現したもので、平服の上にこの袈裟を着用することにより、簡便でありながら、喪服を着用したのと同様又はそれ以上の格式を持たせて、葬儀の慣習上または故人に対して非礼のないようにして、平服で斎場に来場して葬儀への参列を可能にする葬儀の方法を提案するものである。
本発明の葬儀用袈裟は、安いコストで大量生産を可能にした構成であるため、葬儀場に常時備えつけておき、参列者が平服の上にこれを羽織るだけで、厳粛な雰囲気を醸し出すことができ葬儀に参列した際に違和感を与える事がない新たな葬儀の方法を提案するものである。
【発明の効果】
【０００６】
本発明の葬儀用袈裟を葬儀場に常時備えつけおくことにより、葬儀の参加者は平服で葬儀場にいくことができるので、突然の訃報で喪服を着用することなく葬儀場に行っても、平服の上に葬儀用袈裟を羽織ることにより、葬儀に参列した際に違和感を与えることなく葬儀に参列することができる。
葬儀への参列者は平服で斎場行けばよいので葬儀の参加者の負担が軽減される。
また、本発明の葬儀用袈裟の一部に経典や葬儀場名あるいは家紋などの標章を表示することにより葬儀という儀式的意味合いを高め、厳粛な雰囲気を醸し出すことができるなど数多くの優れた特徴を有するものである。
また、本発明の葬儀用袈裟は、平服の上に羽織る構造になっているために着用が極めて容易であり、しかも、フリーサイズ形式であるから同一サイズのものを用意するだけで全ての人が使用することが出来るので、管理面でも省力化が期待できる葬儀の方法を実現できる。
【発明を実施するための最良の形態】
【０００７】
本発明の葬儀用袈裟を図面を使用して詳細に説明する。
図１は本発明の葬儀用袈裟の本体部分の構成を示す図である。
図1において、1は、葬儀用袈裟の本体部分である。葬儀用袈裟の本体部分１は、白色の不織布又はポリエステル製布等を長方形に裁断した後、二つ折りにして重ね合わせ、その縁部にミシン縫製加工を施したものである。
葬儀用袈裟の本体部分1はその幅が約５０ｍｍ、長さが１０００ｍｍ程度であるが、必ずしもこのサイズに限るものではない。
２は、飾紐である。飾紐２は、葬儀用袈裟の本体部分1の両端部にその一端が固着されている。
【０００８】
図２は本発明の葬儀用袈裟の飾紐２の部分の構成を示す図である。
飾紐２は白色のポリエステル製糸等で編まれた紐数本２２を束ねて端部を花弁形２１に結んだものである。
飾紐２は花弁形部分２１径が約３３ｍｍ  、全長が約３００ｍｍである。
図3は本発明の葬儀用袈裟の構成を示す図である。
葬儀用袈裟の本体部分1の両端部に飾紐２の花弁部分２１を取り付けることにより、飾紐２が本体部分1に取り付けられる。
葬儀用袈裟の本体部分1への飾紐２が取り付けは、本体部分１がポリエステル製布等の場合はミシン加工で行われが、不織布の場合には接着剤による取り付けが可能である。
飾紐２は、花弁２１から紐２２が垂下するように、又、白色の紐が正面から見えるように取り付けられ、飾紐２２を結び合わせて首に掛けられるような輪形状にする。
【０００９】
平服の上に本発明の葬儀用袈裟を着用（実際には首に掛ける）することにより、簡便でありながらも、喪服を着用したのと同様又はそれ以上の格式を持たせるものである。本発明の葬儀用袈裟は、平服で斎場に来場し、正装で葬儀への参列を可能にするものである。
本発明の葬儀用袈裟はその本体部分1の一部に、宗派の経典、葬儀場名、家紋等の文字、図形、記号あるいはこれらを結合した標章を付すことにより葬儀の儀式的な意味合いを高め、厳粛な雰囲気を醸し出すことができる。
本発明の葬儀用袈裟はその構成が簡単であり、フリーサイズ形式であるから同一サイズのものを用意するだけで全ての人が使用することが出来るので、安いコストで大量生産を行うことが可能である。
このため、本発明の葬儀用袈裟は、葬儀の終了後にはこれを破棄して、参列者は常に新しい葬儀用袈裟を使用できる。
【００１０】
以上の説明より明らかなように、本発明の葬儀用袈裟を葬儀場に常時備えつけおくことにより、葬儀の参加者は平服で葬儀場にいくことができるので、突然の訃報で喪服を着用することなく葬儀場に行っても、平服の上に葬儀用袈裟を羽織ることにより、葬儀に参列した際に違和感を与えることなく葬儀に参列することができる葬儀の方法が実現できる。
葬儀への参列者は平服で斎場行けばよいので葬儀の参加者の負担が軽減される。
また、本発明の葬儀用袈裟は、平服の上に羽織る構造になっているために着用が極めて容易であり、しかも、フリーサイズ形式であるから同一サイズのものを用意するだけで全ての人が使用することが出来るので、管理面でも省力化が期待できる。
また、本発明の葬儀用袈裟の一部に経典や葬儀場名あるいは家紋などの標章を表示することにより葬儀という儀式的意味合いを高め、厳粛な雰囲気を醸し出すことができるなど数多くの優れた特徴を有するものである。
【産業上の利用可能性】
【００１１】
本発明は服飾産業で利用可能である。
【図面の簡単な説明】
【００１２】
【図１】本発明の葬儀用袈裟の本体部分の構成を示す図である。
【図２】本発明の葬儀用袈裟の飾紐２の構成を示す図である。
【図３】本発明の葬儀用袈裟の構成を示す図である。
【符号の説明】
【００１３】
1・・・葬儀用袈裟の本体部分、
２・・・飾紐、
２１・・・飾紐の端部の花弁、
２２・・・白色のポリエステル製糸等で編まれた紐、
【図１】
2005253697.tif 000003
【図２】
2005253697.tif 000004
【図３】
2005253697.tif 000005